(57)【要約】【課題】炊飯量を判定し炊飯量に応じた炊飯プログラムを実行させる炊飯器において、炊飯量判定のばらつきを抑え、炊飯量に応じた炊飯プログラムを実行させることにより食味を向上するとともに、製品ごとの部品ばらつきや組立ばらつきによる鍋とコイル間の距離の調整を容易にし、安定した食味を実現する。【解決手段】炊飯器本体１０の上部開口部を蓋体２８により覆い、炊飯器本体１０内部に調理物を入れる鍋１２を着脱自在に収納し、鍋１２の下方部を覆う保護枠１１の底部外周部に鍋１２を誘導加熱する内加熱コイル１３と外加熱コイル１４を配設し、鍋１２内の調理物の重量を重量検知手段１８により検知するよう構成する。重量検知手段１８は、鍋１２の底面と当接保持する鍋載置部１９を有し、鍋載置部１９は鍋と内加熱コイル１３との距離を調整できるギャップ調整機構２３を有する。【選択図】図１
2005287875.tif 000002
【特許請求の範囲】
【請求項１】
炊飯器本体と、前記炊飯器本体の上部開口部を覆う蓋体と、前記炊飯器本体内部に着脱自在に収納される調理物を入れる鍋と、前記鍋の下方部を覆う保護枠と、前記保護枠の底部外周部に配設し前記鍋を誘導加熱する加熱コイルと、前記鍋内の調理物の重量を検知する重量検知手段とを備え、前記重量検知手段は、前記鍋の底面と当接保持する鍋載置部を有し、前記鍋載置部は鍋と加熱コイルとの距離を調整できるギャップ調整機構を有する炊飯器。
【請求項２】
ギャップ調整機構は、製品組立後に外部から調整可能な構成を有する請求項１記載の炊飯器。
【請求項３】
鍋載置部は、ねじ機構により保持し、前記鍋載置部を回転させることで鍋と加熱コイルの距離を外部から調整可能とした請求項１記載の炊飯器。
【請求項４】
鍋載置部は、着脱可能なカバー部材により構成し、前記カバー部材の厚みを調整することで鍋と加熱コイルの距離を外部から調整可能とした請求項１記載の炊飯器。
【請求項５】
鍋載置部は、重量検知手段に固定するロック機構と、このロックを解除するロック解除機構とを有する請求項４記載の炊飯器。
【発明の詳細な説明】
【技術分野】
【０００１】
本発明は、炊飯量を判定し炊飯量に応じた炊飯プログラムを実行させる炊飯器に関するものである。
【背景技術】
【０００２】
近年、電磁誘導加熱を利用した炊飯器が数多く提案されており、図５に示すように構成している。以下、その構成について説明する。
【０００３】
図５に示すように、炊飯器本体１は上面が開口する円筒状に構成し、この炊飯器本体１の内部に鍋３の収納部である保護枠２を配設し、この保護枠２は非金属材料により有底円筒状に成形している。保護枠２の外側に誘導加熱手段である加熱コイル４を鍋３の底面ならびに底側面部に対向して配設している。
【０００４】
上記構成において、まず鍋３に米・水等の調理物を所定量投入した後、加熱コイル４に通電し鍋３を加熱する。所定の通電パターンで通電することにより炊飯が行われる（例えば、特許文献１参照）。
【０００５】
また、保護枠を可動として保護枠内面と鍋を部分的に当接させ、鍋と加熱コイルの距離一定に保つ構成の炊飯器が提案されている（例えば、特許文献２参照）。
【特許文献１】特開２００２−０１０９１０号公報
【特許文献２】特開平９−２７１４４４号公報
【発明の開示】
【発明が解決しようとする課題】
【０００６】
しかしながら、図５に示す炊飯器では、炊飯および保温容量を把握できるのは調理物が沸騰した後であり、事前に把握することが困難であるため、炊飯量が変化した場合の加熱コントロールが十分できないものであった。
【０００７】
また、保護枠を可動として保護枠の内面と鍋を部分的に当接させ、鍋と加熱コイルの距離一定に保つ構成の炊飯器では、保護枠の内面に鍋受け部を構成するため、保護枠のそりや変形、経年変化に対して調整代がなく、また、内面がフラットにならず、手入れ性が悪くなるという問題があった。
【０００８】
本発明は上記従来の課題を解決するもので、炊飯量判定のばらつきを抑え、炊飯量に応じた炊飯プログラムを実行させることにより食味を向上するとともに、製品ごとの部品ばらつきや組立ばらつきによる鍋とコイル間の距離の調整を容易にし、安定した食味を実現することを目的としている。
【課題を解決するための手段】
【０００９】
本発明は上記目的を達成するために、炊飯器本体の上部開口部を蓋体により覆い、炊飯器本体内部に調理物を入れる鍋を着脱自在に収納し、鍋の下方部を覆う保護枠の底部外周部に鍋を誘導加熱する加熱コイルを配設し、鍋内の調理物の重量を重量検知手段により検知するよう構成し、重量検知手段は、鍋の底面と当接保持する鍋載置部を有し、鍋載置部は鍋と加熱コイルとの距離を調整できるギャップ調整機構を有するものである。
【００１０】
これにより、重量検知手段により鍋内の調理物の重量を検知することで、炊飯量判定のばらつきを抑えることができて、炊飯量に応じた炊飯プログラムを実行させることにより食味を向上することができるとともに、ギャップ調整機構により製品ごとの部品ばらつきや組立ばらつきによる鍋とコイル間の距離を容易に調整することができ、安定した食味を実現することができる。
【発明の効果】
【００１１】
本発明の炊飯器は、炊飯量判定のばらつきを抑えることができて、炊飯量に応じた炊飯プログラムを実行させることにより食味を向上することができるとともに、製品ごとの部品ばらつきや組立ばらつきによる鍋とコイル間の距離を容易に調整することができ、安定した食味を実現することができる。
【発明を実施するための最良の形態】
【００１２】
第１の発明は、炊飯器本体と、前記炊飯器本体の上部開口部を覆う蓋体と、前記炊飯器本体内部に着脱自在に収納される調理物を入れる鍋と、前記鍋の下方部を覆う保護枠と、前記保護枠の底部外周部に配設し前記鍋を誘導加熱する加熱コイルと、前記鍋内の調理物の重量を検知する重量検知手段とを備え、前記重量検知手段は、前記鍋の底面と当接保持する鍋載置部を有し、前記鍋載置部は鍋と加熱コイルとの距離を調整できるギャップ調整機構を有するものであり、重量検知手段により鍋内の調理物の重量を検知することで、炊飯量判定のばらつきを抑えることができて、炊飯量に応じた炊飯プログラムを実行させることにより食味を向上することができるとともに、ギャップ調整機構により製品ごとの部品ばらつきや組立ばらつきによる鍋とコイル間の距離を容易に調整することができ、安定した食味を実現することができる。また、保護枠の内面に不必要な凹凸を設ける必要がなく、手入れ性にも優れた炊飯器を提供することができる。
【００１３】
第２の発明は、上記第１の発明において、ギャップ調整機構は、製品組立後に外部から調整可能な構成を有するものであり、炊飯器本体を分解することなく、製品の状態で鍋とコイル間の距離を調整することができるため、調整後にビスの締め付け等の鍋とコイル間の距離を変動させる要因を含んだ作業が発生することがなく、調整の精度を向上することができるとともに、経時変化による鍋と加熱コイルの距離の変化に対しても容易に調整ができ、安定した食味を長期にわたって維持することができる。
【００１４】
第３の発明は、上記第１の発明において、鍋載置部は、ねじ機構により保持し、前記鍋載置部を回転させることで鍋と加熱コイルの距離を外部から調整可能としたものであり、鍋と加熱コイル間の距離を無段階に調整することができ、よりよい食味の炊飯器を提供することができる。
【００１５】
第４の発明は、上記第１の発明において、鍋載置部は、着脱可能なカバー部材により構成し、前記カバー部材の厚みを調整することで鍋と加熱コイルの距離を外部から調整可能としたものであり、調整作業の効率化を図り、生産性を向上できるとともに、安定した食味の炊飯器を提供することができる。
【００１６】
第５の発明は、上記第４の発明において、鍋載置部は、重量検知手段に固定するロック機構と、このロックを解除するロック解除機構とを有するものであり、手入れ時などに意図せずに調整値が変化するのを防止できるとともに、製品を組付けた後においても、鍋載置部を取り替えて鍋と加熱コイル間の距離を調整することができるため、調整が必要な場合には容易に調整することができ、より安定した食味を長期にわたって維持することができる。
【００１７】
以下、本発明の実施の形態について、図面を参照しながら説明する。なお、この実施の形態によって本発明が限定されるものではない。
【００１８】
（実施の形態１）
図１に示すように、炊飯器本体１０は上面が開口する円筒状に構成し、この上部開口部を蓋体２８で覆い、この炊飯器本体１０の内部に鍋１２の収納部である保護枠１１を配設し、この保護枠１１は非金属材料により有底円筒状に成形している。保護枠１１の鍋１２の底部に対向する部分に同心円状に、加熱コイルを構成する内加熱コイル１３と外加熱コイル１４を配設している。制御基板１５は、内加熱コイル１３と外加熱コイル１４に交番磁界を発生させる電流を流すものである。底センサ１６は鍋１２の温度を検知する温度検知手段を構成するもので、保護枠１１の底部に設け、鍋１２の底中央部に当接し、鍋１２の温度を検知するよう構成している。鍋検知手段１７は、底センサ１６に連動して動作するもので、マイクロスイッチにより構成している。
【００１９】
重量検知手段１８は、底センサ１６の外周部に設け、鍋１２の重量を検知するものであり、鍋載置部１９により鍋１２の底面を支持し、鍋載置部１９に連接して構成した重量検知センサ２０によりロードセル２１の変位を検出し、調理物２２である米・水の重量を測定するよう構成している。この重量検知手段１８の情報を基に、炊飯スイッチ（図示せず）を押すと、調理物２２の重量にあった炊飯プログラムで炊飯を開始する。
【００２０】
ギャップ調整機構２３は、調整ねじ２４を締め付ける量を調整することにより、重量検知手段１８の取り付け位置を上下に可動することができ、内加熱コイル１３に対する鍋載置部１９の位置を調整ができるよう構成している。
【００２１】
上記構成において作用を説明する。調整ねじ２４を締め付ける量を調整することにより、重量検知手段１８の取り付け位置を上下に可動することができ、内加熱コイル１３に対する鍋載置部１９の位置を調整ができるよう構成しているので、各部品のばらつきによる影響を排除し、鍋１２と内加熱コイル１３の距離を一定に保つことができる。実際の組立工程においては、保護枠１１に、重量検知手段１８を取り付けたユニット状態で、鍋載置部１９と内加熱コイル１３の高さの差を測定し、調整ねじ２４を操作することにより、高さの目標値との差を補正する。
【００２２】
以上のように、本実施の形態においては、重量検知手段１８は、鍋１２の底面と当接保持する鍋載置部１９を有し、鍋載置部１９は鍋１２と内加熱コイル１３との距離を調整できるギャップ調整機構２３を有するので、炊飯開始時に、重量検知手段１８により炊飯量を判定することができるため、炊飯量判定のばらつきを抑えることができるとともに、炊飯プログラムの初期から炊飯量に応じた適切な炊き方を行うことが可能となり、食味を向上することができ、ギャップ調整機構２３により、食味に大きな影響を及ぼす鍋１２と内加熱コイル１３の距離のばらつきを抑制することができ、製品ごとの部品ばらつきや組立ばらつきによる鍋１２と内加熱コイル１３間の距離を容易に調整することができ、安定した食味の炊飯器を提供することができる。また、保護枠１１の内面には、不必要な凹凸を設ける必要がないため、手入れ性にも優れた炊飯器を提供することができる。
【００２３】
（実施の形態２）
図２に示すように、調整穴２５は、炊飯器本体１０に設け、製品組立後に、外部から調整穴２５を通して調整ねじ２４を締め付ける量を調整することにより、ギャップ調整機構２３は、内加熱コイル１３に対する鍋載置部１９の位置を調整ができるよう構成している。他の構成は上記実施の形態１と同じであり、同一符号を付して説明を省略する。
【００２４】
上記構成において作用を説明する。内加熱コイル１３と鍋載置部１９の距離の測定は、内加熱コイル１３と保護枠内加熱コイル面２６の距離のばらつきは無視できるものと仮定し、鍋載置部１９と保護枠内加熱コイル面２６の高さの差を測定することにより内加熱コイル１３と鍋載置部１９の距離を代用し、調整穴２５から調整ねじ２４を操作することにより、高さの目標値との差を補正する。
【００２５】
以上のように、本実施の形態においては、ギャップ調整機構２３は、製品組立後に外部から調整可能な構成を有するので、製品を組付けた後においても、鍋１２と内加熱コイル１３間の距離を調整することが可能となるため、製品組付け後の変形等の影響を受けることなく、精度の高い調整をすることができる。また、使用時の経年変化による鍋１２と内加熱コイル１３の距離の変化に対しても、容易に調整可能となり、より長く安定した食味を実現する炊飯器を提供することができる。
【００２６】
（実施の形態３）
図３に示すように、重量検知センサ２０の外周と鍋載置部１９の内面とをねじ機構により嵌合させて、鍋載置部１９をねじ機構により保持し、鍋載置部１９を回転させることで鍋１２と内加熱コイル１３との距離を外部から調整可能としている。他の構成は上記実施の形態１と同じであり、同一符号を付して説明を省略する。
【００２７】
上記構成において作用を説明する。鍋載置部１９を回転させることにより、鍋１２と内加熱コイル１３間の距離を調整することができるため、鍋１２と内加熱コイル１２間の距離を無段階に調整することができ、よりよい食味の炊飯器を提供することができる。また、製品組付け後の変形等の影響を受けることなく、精度の高い調整が可能となる。また、使用時の経年変化による鍋１２と内加熱コイル１３の距離の変化に対しても、容易に調整することができ、より長く安定した食味を実現する炊飯器を提供することができる。
【００２８】
以上のように、本実施の形態においては、鍋載置部１９は、ねじ機構により保持し、鍋載置部１９を回転させることで鍋１２と内加熱コイル１３との距離を外部から調整可能としたので、鍋１２と内加熱コイル１３間の距離を無段階に調整することができ、よりよい食味の炊飯器を提供することができる。
【００２９】
（実施の形態４）
図４に示すように、鍋載置部１９は、重量検知センサ２０に設け、着脱可能なカバー部材により構成しており、カバー部材の厚みを調整することで鍋１２と内加熱コイル１３との距離を外部から調整可能としている。ここで、鍋載置部１９はセット時に弾性を有する嵌合爪２７により重量検知センサ２０に固定されるロック機構を有し、外部から嵌合爪２７を押すことにより取り外しが可能なロック解除機構を有する構成となっている。他の構成は上記実施の形態１または３と同じであり、同一符号を付して説明を省略する。
【００３０】
上記構成において作用を説明する。鍋載置部１９の天面の厚みを複数種類準備することで、部品や組立時における鍋１２と内加熱コイル１３間の距離のばらつきに対応することができる。したがって、製品の組立工程において、鍋載置部１９と保護枠内コイル面２６の高さの差を測定し、高さの差に応じた厚みの鍋載置部１９を選択して使用することにより、目標値との差を補正することができる。これにより、製品組付け後の変形等の影響を受けることなく、精度の高い調整が可能となり、ギャップの安定化が図れるだけでなく、組立工程内での調整時間を短縮することができる。
【００３１】
また、鍋載置部１９は、外部から嵌合爪２７を押すことにより取り外しが可能なロック解除機構を有する構成となっているため、製品を組付けた後においても、鍋載置部１９を取り替えて鍋１２と内加熱コイル１３間の距離を調整することができるため、使用時の経年変化による鍋１２と内加熱コイル１３の距離の変化に対しても、容易に調整可能となり、より長く安定した食味を実現する炊飯器を提供することができる。
【００３２】
以上のように、本実施の形態においては、鍋載置部１９は、着脱可能なカバー部材により構成し、カバー部材の厚みを調整することで鍋１２と内加熱コイル１３との距離を外部から調整可能としたので、調整作業の効率化を図り、生産性を向上できるとともに、安定した食味の炊飯器を提供することができる。
【００３３】
また、鍋載置部１９は、重量検知センサ２０に固定するロック機構と、このロックを解除するロック解除機構とを有するので、手入れ時などに意図せずに調整値が変化するのを防止できるとともに、製品を組付けた後においても、鍋載置部１９を取り替えて鍋１２と内加熱コイル１３間の距離を調整することができるため、調整が必要な場合には容易に調整することができ、より安定した食味を長期にわたって維持することができる。
【産業上の利用可能性】
【００３４】
以上のように、本発明にかかる炊飯器は、炊飯量判定のばらつきを抑えることができて、炊飯量に応じた炊飯プログラムを実行させることにより食味を向上することができるとともに、製品ごとの部品ばらつきや組立ばらつきによる鍋とコイル間の距離を容易に調整することができ、安定した食味を実現することができるので、炊飯量を判定し炊飯量に応じた炊飯プログラムを実行させる炊飯器として有用である。
【図面の簡単な説明】
【００３５】
【図１】本発明の実施の形態１における炊飯器の一部切欠した側面図
【図２】本発明の実施の形態２における炊飯器の要部断面図
【図３】本発明の実施の形態３における炊飯器の要部断面図
【図４】本発明の実施の形態４における炊飯器の要部断面図
【図５】従来の炊飯器の一部切欠した側面図
【符号の説明】
【００３６】
１０  炊飯器本体
１１  保護枠
１２  鍋
１３  内加熱コイル（加熱コイル）
１４  外加熱コイル（加熱コイル）
１８  重量検知手段
１９  鍋載置部
２３  ギャップ調整機構
２８  蓋体
【図１】
2005287875.tif 000003
【図２】
2005287875.tif 000004
【図３】
2005287875.tif 000005
【図４】
2005287875.tif 000006
【図５】
2005287875.tif 000007